(57)【要約】【課題】意思表示確認時間中に遊技者自身の意思による操作により役抽選の結果或いはその信頼度を報知手段に表示又は報知して認識できる。【解決手段】抽選を行う抽選手段を備え、該抽選手段で行われる抽選に応じた役抽選の結果或いはその信頼度を表示又は報知する報知手段２０を備えた遊技機において、抽選手段において内部で行われる抽選の結果が決定したときに、遊技者に対して役抽選の結果或いはその信頼度を認識しうる機会を付与するために意思表示確認時間を設けその時間を遊技者に表示又は報知しうる確認時間報知手段２１と、該確認時間報知手段に表示又は報知される意思表示確認時間中に、遊技者の意思で操作しうる操作手段２３とを備えたことを特徴とする遊技機。【選択図】  図１
2004344231.tif 000002
【特許請求の範囲】
【請求項１】
抽選を行う抽選手段を備え、該抽選手段で行われる抽選に応じた役抽選の結果或いはその信頼度を表示又は報知する報知手段を備えた遊技機において、
前記抽選手段において内部で行われる抽選の結果が決定したときに、遊技者に対して役抽選の結果或いはその信頼度を認識しうる機会を付与するために意思表示確認時間を設けその時間を遊技者に表示又は報知しうる確認時間報知手段と、該確認時間報知手段に表示又は報知される意思表示確認時間中に、前記報知手段に役抽選の結果或いはその信頼度を表示又は報知させるために遊技者の意思で操作しうる操作手段とを
備えたことを特徴とする遊技機。
【請求項２】
抽選を行う抽選手段を備えた遊技機において、
少なくとも抽選手段で行われる抽選に応じた役抽選の結果或いはその信頼度と、遊技者対して役抽選の結果或いはその信頼度を認識しうる機会を付与するために設けられた意思表示確認時間とを表示又は報知しうる報知手段と、
該報知手段に表示又は報知される意思表示確認時間中に役抽選の結果或いはその信頼度を表示又は報知させるために遊技者の意思で操作しうる操作手段とを
備えたことを特徴とする遊技機。
【請求項３】
前記操作手段を遊技機の前面に設けたことを特徴とする請求項１又は２に記載の遊技機。
【請求項４】
前記操作手段を遊技機の上皿、下皿、或いは機枠等に備えた請求項１ないし３のいずれかに記載の遊技機。
【請求項５】
前記報知手段として、遊技盤面以外の遊技機内に図柄を表示する図柄表示手段を設けたことを特徴とする請求項１ないし４のいずれかに記載の遊技機。
【請求項６】
前記報知手段と前記操作手段とをユニット化させたことを特徴とする請求項１ないし５のいずれかに記載の遊技機。
【発明の詳細な説明】
【０００１】
【発明の属する技術分野】
この発明は遊技者自身の意思による操作で報知手段に役抽選の結果或いはその信頼度を表示又は報知させて射幸性、興趣を向上できる遊技機に関する。
【０００２】
【従来の技術】
従来、遊技盤で行われる遊技状態に応じて複数種類の図柄を変動表示するとともに、その複数種類の図柄が所定の組合せの１つと一致する第１表示とその第１表示の表示前に表示される第２表示とを表示可能に構成した表示装置とを備えた遊技機において、前面枠部材における遊技盤の１面との非対向面側に設けられ発光可能に構成された発光体を有し、表示装置による第２表示が第１表示に移行する確率の値（これを信頼度という）に応じて、発光体の発光範囲または発光位置を変更可能な報知装置を備え、遊技者の射幸性や興趣を向上させるものが提案されている。この信頼度は、各種のリーチ状態が大当たり状態へ移行する確率のことである（特許文献１参照）。
【０００３】
【特許文献１】
特開２００１−３５３３４６号公報（図２）
【０００４】
【発明が解決しようとする課題】
上記遊技機では、内部抽選時に毎回行われている役抽選の結果、第２表示が第１表示に移行する確率の値を遊技者に報知する報知手段を設けたもので、遊技機内部の制御装置により自動的に報知手段で表示されるものであり、遊技者自身の判断で報知手段に表示して確認することはできないものであった。従って、遊技に不慣れな者には報知手段に内部抽選時に毎回行われている役抽選の結果が遊技者の意思にかかわらず自動的に報知されるが、その報知を認識せず、遊技に有効に利用することができないという問題点があった。
【０００５】
この発明はこのような問題点を解決するためになされたもので、抽選手段の抽選において、意思表示確認時間中に遊技者自身の意思による操作により役抽選の結果或いはその信頼度を報知手段で認識できるようにして、遊技機に不慣れな者でも射幸性、興趣を向上させうる遊技機を提供することを目的とする。
【０００６】
【課題を解決する手段】
この発明の請求項１の遊技機は、抽選を行う抽選手段と、該抽選手段で行われる抽選に応じた役抽選の結果或いはその信頼度を報知する報知手段とを備えた遊技機において、前記抽選手段において内部で行われる抽選の結果が決定したときに、遊技者に対して役抽選の結果或いはその信頼度を認識しうる機会を付与するために意思表示確認時間を設けその時間を遊技者に表示又は報知しうる確認時間報知手段と、該確認時間報知手段に表示又は報知される意思表示確認時間中に、前記報知手段に役抽選の結果或いはその信頼度を表示又は報知させるために遊技者の意思で操作しうる操作手段とを備えたことを特徴とする。
【０００７】
この発明の請求項２の遊技機は、抽選を行う抽選手段を備えた遊技機において、少なくとも抽選手段で行われる抽選に応じた役抽選の結果或いはその信頼度と、遊技者対して役抽選の結果或いはその信頼度を認識しうる機会を付与するために設けられた意思表示確認時間とを表示又は報知しうる報知手段と、該報知手段に表示又は報知される意思表示確認時間中に役抽選の結果或いはその信頼度を表示又は報知させるために遊技者の意思で操作しうる操作手段とを備えたことを特徴とする。
【０００８】
この発明の請求項３の遊技機は、前記操作手段を遊技機の前面に設けたことを特徴とする。
この発明の請求項４の遊技機は、前記操作手段を遊技機の上皿、下皿、或いは機枠等に備えたことを特徴とする。
この発明の請求項５の遊技機は、前記報知手段は遊技盤面以外の遊技機内に図柄を表示する図柄表示手段を設けたことを特徴とする。
この発明の請求項６の遊技機は、前記報知手段と前記操作手段とをユニット化させたことを特徴とする。
【０００９】
この発明の構成によれば、抽選手段において内部で行われる抽選の結果が決定したときに、確認時間報知手段に表示又は報知される意思表示確認時間中に遊技者自身の意思で操作手段を操作することにより報知手段に役抽選の結果或いはその信頼度を報知させて遊技者が役抽選の結果或いはその信頼度を認識できる。
【００１０】
この発明の構成によれば、抽選手段において内部で行われる抽選の結果が決定したときに、報知手段に表示又は報知される意思表示確認時間中に遊技者自身の意思で操作手段を操作することにより１つの報知手段に役抽選の結果或いはその信頼度を報知させて遊技者が役抽選の結果或いはその信頼度を認識できる。
【００１１】
この発明の構成によれば、操作手段を遊技機の前面に設けるので、遊技者が操作しやすく便利である。また、前記操作手段を遊技機の上皿、下皿、或いは機枠等に備えれば、遊技者の手元で操作できるので便利である。
また、前記報知手段として、遊技盤面以外の遊技機内に図柄を表示する図柄表示手段を設け、遊技者に認識しやすくすることができる。
この発明の構成によれば、前記報知手段と前記操作手段とをユニット化して場所をとることなく、小スペースに設置できる。
【００１２】
【発明の実施の形態】
以下に、この発明の実施形態を図面に基づいて説明する。図１はこの発明の一実施形態のパチンコ遊技機を示す正面図、図２は操作手段と報知手段を備えたユニット体を示す正面図、図３は同断面図、図４は別の実施形態のパチンコ遊技機を示す正面図、図５は操作手段の別の実施形態を示す断面図、図６はこの発明の別の実施形態で、スロット遊技機を示す正面図である。
【００１３】
この発明の遊技機は、抽選を行う抽選手段と、抽選手段で行われる抽選に応じた役抽選の結果或いはその信頼度を報知する報知手段２０とを備えたものにおいて、前記抽選手段において内部で行われる抽選の結果が決定したときに、遊技者に対して役抽選の結果或いはその信頼度を認識しうる機会を付与するために意思表示確認時間を設けその時間を遊技者に表示又は報知しうる確認時間報知手段２１と、該確認時間報知手段２１により報知される意思表示確認時間中に、前記報知手段２０に役抽選の結果或いはその信頼度を報知させるために遊技者の意思で操作しうる操作手段２３とが備えられている。
前記抽選手段で行われる抽選に応じた役抽選の結果とは、全ての役抽選は抽選時に内部で決定されている。その内部で決定される役としては、例えば小役、ボーナス役のレギュラーボーナス役、ビックボーナス役等種々の当たり役を言う。役抽選の信頼度とはこれも抽選時に内部で決定されていることで、取得された役の種別等が成立する可能性を遊技者に表す度合い、例えば、各種のリーチ状態が大当たり状態に至る際の確率、或いは各種のリーチ予告状態がリーチ状態に至る確率などを言う。
【００１４】
図１および図４に示す本発明の実施形態のパチンコ遊技機の場合を説明する。１は、パチンコ遊技機の略矩形状の機枠（図示せず）の一側を支点として開閉自在に備えられている前面枠で、該前面枠１に対して一側の上下にヒンジを備え、ヒンジを回転軸として開閉可能に備えられるガラス扉枠２が備えられている。３は前面枠１に着脱可能に備えられる遊技盤、４は遊技盤の前面に備える打球誘導レールで、そのレールで囲まれて遊戯領域５が形成されている。この遊技盤の遊戯領域５には、例えば、普通入賞口６、特定図柄表示装置７、普通図柄表示装置８、風車９、普通図柄作動ゲート１０、始動口（電動チューリップ）１１が備えられている。この遊技盤の場合、普通図柄作動ゲート１０を打球が通過すると、普通図柄表示装置８が抽選を開始して所定時間後に特定の図柄、例えば「７」となると、始動口１１が所定時間開放され、該始動口１１に打球が入賞すると図柄表示装置７の抽選表示が開始される。始動口１１の下方には大入賞口（大当たり入賞口）１２が備えられ、図柄表示装置７の抽選結果が予め決められた図柄の組合せと一致すると、大当たりとなる。大入賞口の内部に特定入賞口が設けられている。前面枠１の下部には上皿１３、下皿１４、操作ハンドル１５が備えられている。
【００１５】
図１に示すパチンコ遊技機の場合、抽選手段として、打球入賞時に前記特定図柄表示装置７、普通図柄表示装置８等が備えられ、図柄等の抽選が内部で決定される。
報知手段２０はこの特定図柄表示装置７、普通図柄表示装置８等抽選手段の内部で行われる抽選で決められる役抽選の結果或いはその信頼度を報知するものである。図１の実施形態では、報知手段２０をユニット体２４の７セグの表示器を用い、この表示器に役抽選の結果或いは信頼度が表示される。７セグの表示器３８は、役抽選の結果或いは信頼度を表示するために１桁ないしＮ桁の表示とする。前記７セグの表示器３８には、例えば１〜１００の数値で表示される。該報知手段としては、図柄表示手段（図柄の種類、図柄の変化、数値表記などを言う）、発光手段（発光体の種類、発光体の発色、発光体の点灯パターン等を言う）、音声手段（音の大小、音の高低、音の変化パターンなどを言う）、振動手段（ハンドル等の振動の変化パターンなどを言う）の少なくとも１つに役抽選の結果或いはその信頼度表示を可能とし、遊技者はこの何れかによる報知で役抽選の結果或いはその信頼度を簡単に認識することができる。報知手段２０の変更例として、発光ダイオード（ＬＥＤ）の表示による報知手段としてもよい（図示せず）。発光ダイオード（ＬＥＤ）による場合には、ＬＥＤの表示器に表示される信頼度は例えば、１００％に近いとき赤色、５０％くらいのとき黄色、０％に近いとき、青色の表示をＬＥＤで発光させる。報知手段はこのような表示器等の視覚的に報知させる手段のみならず、スピーカー等による聴覚的に報知させる手段や、振動部材などによる触覚的に報知させる手段も含む。触覚的に報知させる手段とは、操作ハンドルを振動させて遊技者の手に振動を伝えて報知させること、或いは遊技者の座る椅子等を振動させて報知させること等を含む意味である。この報知手段は遊技盤面以外の遊技機内に図柄を表示する図柄表示手段が設けられる。この報知手段２０の設置場所は、遊技機の遊技盤面、遊技盤面以外の前面枠など適宜箇所とすることができる。報知手段は図柄表示装置等でも表示又は報知させることもできる。
パチンコ遊技機の抽選手段で行われる抽選に応じた役抽選の結果とは、リーチ状態が大当たりの結果を表示する場合、例えば、当たり確定表示例として、フルカラー表示をする。役抽選の信頼度とは、抽選結果（乱数を用いた当否判定）に基づいて、役が成立する可能性を遊技者に表す度合い、例えば、リーチ状態から大当たりに移行する確率を数値による表示、或いは発光ダイオード（ＬＥＤ）の色彩による発光表示などを言う。
【００１６】
確認時間報知手段２１は、前記特定図柄表示装置７、普通図柄表示装置８等抽選手段において内部で行われる抽選の結果が決定したときに、遊技者に対して役抽選の結果或いはその信頼度を認識しうる機会を付与するために意思表示確認時間を設け、その時間を遊技者に報知するものである。図１の実施形態では、確認時間報知手段２１を前記報知手段２０と同じくユニット体２４の７セグの表示器を用い、この表示器に７セグの数値表示で予め設定した確認時間、例えば、Ｔ秒のカウントダウンが表示される。前記７セグの表示器３８は、確認時間が例えば８から０へカウントダウン表示される。この確認時間報知手段２１は数値表示に限るものではなく、予め設定した発光時間だけ発光する発光手段、予め設定した時間を音声で報知する音声手段、予め設定した時間を操作ハンドル等を振動させて報知する振動手段などとしてもよい。この確認時間報知手段２１の設置場所も、遊技機の遊技盤面、遊技盤面以外の前面枠など、報知できる場所とすることは自由である。図１の実施形態では、報知手段２０と確認時間報知手段２１をユニット体２４の１つの７セグ表示器を用いて表示又は報知するようにしたが、これに限られるものではなく、報知手段２０と確認時間報知手段２１を別の表示器とすることもできる。
【００１７】
この発明の遊技機は、抽選を行う抽選手段を備え、少なくとも抽選手段で行われる抽選に応じた役抽選の結果或いはその信頼度と、遊技者に対して役抽選の結果或いはその信頼度を認識しうる機会を付与するために設けられた意思表示確認時間とを表示又は報知しうる報知手段２２と、該報知手段２２に表示又は報知される意思表示確認時間中に役抽選の結果或いはその信頼度を表示又は報知させるために遊技者の意思で操作しうる操作手段２３とが備えられる。
【００１８】
図４の実施形態では、操作手段２３と、報知手段と確認時間報知手段を兼ねる一報知手段２２とを別に設けた場合を示す。
この報知手段２２は、前記報知手段２０の役抽選の結果或いはその信頼度の表示又は報知と、確認時間報知手段２１の遊技者への意思表示確認時間の表示又は報知を行うことができるものである。
報知手段２２として、パチンコ遊技機の前面枠１の上部に７セグの表示器３８が設けられている。この７セグの表示器３８に役抽選の結果或いはその信頼度の報知手段と確認時間報知手段の数値を表示する。共用する７セグの表示器は、確認時間、或いは役抽選の結果、或いはその信頼度を表示するために１桁ないしＮ桁の表示とする。上記では、７セグの表示器としたが、これに限られるものでなく、例えば発光ダイオード（ＬＥＤ）の表示による報知手段としてもよい。報知手段２２はこのような表示器等の視覚的に報知させる手段のみならず、スピーカー等による聴覚的に報知させる手段や、振動部材などによる触覚的に報知させる手段も含む。報知手段には他の情報を表示することも可能である。
【００１９】
操作手段２３は前記確認時間報知手段２１又は報知手段２２により報知される意思表示確認時間中に、前記報知手段２０又は２２に役抽選の結果或いはその信頼度を報知させるために遊技者の意思で操作するもので、その設置場所は、遊技機の前面、或いは、遊技盤以外に、遊技機の上皿、下皿、或いは機枠等に備えられる。前記報知手段と前記操作手段とをユニット化させることもできる。また、報知手段と操作手段を一体化することもできる。
抽選手段において内部で行われる抽選の結果が決定したときに、制御装置（図示せず）を介して、確認時間報知手段２１又は報知手段２２に意思表示確認時間を表示し、遊技者が操作手段２３を操作することにより役抽選の結果或いはその信頼度を報知手段２０又は２２に表示又は報知できるようにする。この操作手段として、遊技者が操作しうる検知センサーを用いることができる。この検知センサーとしては、接触型検知センサー・・・タッチセンサー、スイッチ、圧力センサー等、非接触型検知センサー・・・光電式センサー、赤外線センサー等を使用する。
【００２０】
図１ないし図３において、報知手段２０と確認時間報知手段２１と操作手段２３をユニット化した実施形態を説明する。
２４は筺型のユニット体で、操作手段２３と、報知手段２０と確認時間報知手段２１とを兼ねる表示器が備えられ、該ユニット体２４が前面枠１の開口１６に備えられている。操作手段２３は、取付け部材２９、押しボタン部材２７、基板３６、フォトセンサー３７などからなる。報知手段２０と確認時間報知手段２１は表示部２８、７セグ表示器３８などからなる。
該ユニット体２４には、正面に間隔をおいて開口２５、２６が並設され、その一方の開口２５に押しボタン部材２７が備えられ、かつ他方の開口２６に表示部２８が設けられている。２４ａはユニット体２４の取付け部である。
押しボタン部材２７をセットする取付け部材２９は有底筒型で、上部周囲に受止め突片２９ａと、その周面に縦方向に所定ストロークの長孔３０と、底部の中央に筒状部３１が設けられている。取付け部材２９はユニット体２４の開口２５に受止め突片２９ａが係合されて固定される。
押しボタン部材２７は前記取付け部材２９内に挿入可能で、その周面の先端に前記取付け部材２９の長孔３０に昇降可能に係合される係合片３２が形成され、かつ中央には前記取付け部材２９の中央の筒状部３１に挿通される突軸３３が形成される。
前記押しボタン部材２７が取付け部材２９の周壁内に挿入されるとともに、突軸３３が取付け部材２９の筒状部３１に挿入されてその突軸３３の先端を基板３６のフォトセンサー３７の凹部３７ａに臨ませ、前記取付け部材２９と押しボタン部材２７との間に復帰用バネ３４が備えられ、押しボタン部材２７は常時復帰方向へ付勢される。
前記ユニット体２４の略四角形の開口２６に略四角形の透明樹脂の表示部２８が内面より嵌合固定されている。表示部２８は内部の７セグの数値、ＬＥＤの発光等を外部から透視でき、遊技者が表示又は報知を認識できるようにする。
ユニット体２４の下部の取付け板３５には、基板３６が間隔をおいて螺子等で固定され、その基板３６上に前記押しボタン部材２７で作用されるフォトセンサー３７（光電式センサー）と、前記表示部２８に役抽選の結果或いは信頼度と、意思確認時間を数値表示する７セグの表示器３８が設けられる。この７セグの表示器３８には、例えば、役抽選の結果或いは信頼度の１〜１００の数値と、意思確認時間のＴ秒カウントダウン表示をする。また、基板３５の下部にはコネクター３９が備えられ、該コネクターに接続するコードが取付け板３５、前面枠等を通じて遊技機等の制御装置、電源等に接続される。
実施形態では意思表示確認するための操作手段として押しボタンによる場合を説明したが、これに限られるものではなく、押しボタン以外の接触センサーとしてもよい。
【００２１】
而して、図柄表示装置の図柄が回転中に、確認時間報知手段において意思表示確認時間（Ｔ秒タイマー）がユニット体２４の正面の透明樹脂の表示部２８に前記７セグ表示器３８により表示され、カウントダウンが始まる。そのカウントダウン中に、遊戯者の意思により押しボタン部材２７をバネ３４に抗して押すと、突軸３３がフォトセンサー３７の凹部３７ａに入って光を遮ることにより信号が送られて前記７セグ表示器３８に役抽選の結果或いはその信頼度が表示又は報知される。押しボタンを押すのを解除すると、押しボタン部材は元に復帰する。
【００２２】
この発明の図１のパチンコ遊技機の場合、始動口（電動チューリップ）１１入賞→図柄表示装置の図柄が回転中に、確認時間報知手段２１の表示器において意思表示確認時間（Ｔ秒タイマー）始動→遊技者はそのタイマー中（カウントダウン中）に押しボタン部材２７（検知スイッチ等）を自身の判断で操作する（触れる）→抽選の結果の信頼度が報知手段２０の表示器に数値でリーチ信頼度が表示される。例えば、リーチ状態から大当たりに至る確率として、表示器の表示１００の場合は抽選の結果大当たりとなる場合であり、１００に近いと大当たりとなる確率が大きく、０に近いと大当たりとなる確率は小さいことを表示することになる。
また、パチンコ遊技機の場合、電動チューリップの入賞→リーチ状態中→確認時間報知手段２１の意思表示確認時間（Ｔ秒タイマー）始動→遊技者はそのタイマー中（カウントダウン中）に押しボタン部材２７を自身の判断で操作する→抽選の結果或いはその信頼度が報知手段２０の表示器に大当たり信頼度が表示される。例えば、大当たり信頼度は前記のように数値で示す。或いは前記報知手段２０と確認時間報知手段２１の表示を変える場合、例えば、報知手段２０をＬＥＤとし、確認時間報知手段２１を７セグで表示して、７セグに表示される時間がカウントダウンし、その確認時間中に押しボタンを操作することによりＬＥＤが例えば、信頼度大のとき赤色、信頼度中のとき黄色、信頼度小のとき青色で表示される。また、役抽選の結果としては、例えば当たり役確定表示として、フルカラー表示とする。すなわちフルカラー表示されると、大当たりが確定表示されていることになる。
【００２３】
図５において、操作手段２３の別の実施形態の構造について説明する。操作手段２３は取付け部材４１、押しボタン部材４０、基板３６、フォトセンサー３７等からなる。取付け部材４１は、遊技機の前面枠１に設けた開口１７に固定する有底筒型で、その周囲には前面枠１に受け止める突片４１ａが設けられ、かつ周面に縦方向に所定ストロークの長孔４２が形成され、底部中央に筒状部４３が設けられている。押しボタン部材４０は前記取付け部材４１内に挿入可能で、その周面の先端に前記取付け部材４１の長孔４２に昇降可能に係合される係合片４４が形成され、かつ中央には前記取付け部材４１の中央の筒状部４３に挿通される突軸４５が形成される。該押しボタン部材４０の表面に表示プレート４６を介在して透明な覆い板４７が係脱可能に被せられている。押しボタン部材４０の上面には表示プレート４６を挿入する凹部４８が形成されかつ下部両側に係止孔４９が設けられている。覆い板４７の両端には係止部５０が形成されている。押しボタン部材４０の上部凹部４８に表示プレート４６を挿入後、覆い板４７の係止部５０が押しボタン部材４０の係止孔４９に脱着可能に係合される。前記表示プレート４６は遊技機のデザインに合わせたデザインの絵柄等を印刷するのが好ましく、遊技機の前面枠を他のデザインのものと変えるときは、覆い板４７を取り外してこの表示プレートを取り替え可能としてある。
前記取付け部材４１と押しボタン部材４０との間に復帰用バネ５１が備えられ、押しボタン部材４０は常時復帰方向へ付勢されている。
前記取付け部材４１の底部下面には基板３６が間隔をおいて螺子で固定され、その基板３６上にフォトセンサー３７（光電式センサー）が備えられ、基板３６の下部にコネクター３９が備えられ、該コネクターに接続するコードが前記と同様に制御装置、電源等に接続される。
この押しボタン部材４０が取付け部材４１の周壁内に挿入されるとともに、突軸４５が取付け部材４１の筒状部４３に挿入され、突軸４５の先端を基板３６のフォトセンサー３７の凹部３７ａに臨ませる。
この押しボタン部材４０をバネ５１に抗して押したとき突軸４５がフォトセンサー３７の凹部３７ａに入って光を遮ることにより信号が送られて報知手段に役抽選の結果或いはその信頼度が表示又は報知される。
実施形態では意思表示確認するための操作手段として押しボタンによる場合を説明したが、これに限られるものではなく、押しボタン以外の接触センサーとしてもよい。
【００２４】
図６に示す本発明の別の実施形態のスロット遊技機の場合を説明する。
６１はスロット遊技機の前面枠体で、中央部の表示部６２に回転ドラム装置６３が備えられ、回転ドラム装置６３の下部の操作部６４に操作レバー６５、ストップボタン６６、メダル投入口６７、クレジット精算ボタン６８、クレジット投入ボタン６９等が備えられている。メダル投入口に遊技者がメダルを投入してゲームを開始する。スロット遊技機の役は小役（例、ベル役…黄色、プラム役…水色、リプレイ役…緑色、チェリー役…ピンク色）、ボーナス役（例、レギュラーボーナス役…青色、ビックボーナス役…赤色）等がある。
スロット遊技機は、クレジット機能（貯留機能）を有しており、メダル投入口へメダルを投入しなくとも、クレジット投入ボタン６９を押して、遊技を開始できる。そして、操作レバー６５を作動することにより回転ドラム装置６３の図柄が変動を開始し、ストップボタン６６を操作することにより図柄が停止される。メダルの貯留枚数は操作表示部等に設けられるクレジット枚数表示器（図示せず）等に表示され、クレジット精算ボタン６８を押すと全てのメダルの精算が行われる。
【００２５】
このスロット遊技機において、表示部６２の回転ドラム装置６３の上部に、抽選手段で行われる抽選に応じた役抽選の結果或いはその信頼度を表示又は報知する報知手段２０が備えられ、かつ回転ドラム装置６３の横に意思表示確認時間を遊技者に表示又は報知する確認時間報知手段２１が備えられている。そして、前記操作部６４に、意思表示確認時間中に、役抽選の結果或いはその信頼度を報知させるために遊技者の意思で操作しうる操作手段２３が備えられている。スロット遊技機でもパチンコ遊技機と同様に抽選手段で行われる抽選に応じた役抽選の結果とは、例えば、抽選手段において内部で毎回行われる役抽選の結果、役抽選の信頼度とは、抽選結果に基づいて、役が成立する可能性を遊技者に表す度合いを言う。
【００２６】
図６に示す実施形態では、報知手段２０として、複数個のＬＥＤで表示する表示器７０が設けられ、抽選手段で行われる抽選に応じた役抽選の結果或いはその信頼度を前記した各役の色彩を表示器で発光させる。表示器７０のＬＥＤは例えば横１列に並設され、抽選の結果に応じて発光するＬＥＤの多少により信頼度の大から小までが表示される。遊技者に対して役抽選の結果或いはその信頼度を認識しうる機会を付与するために意思表示確認時間を表示又は報知させる確認時間報知手段２１として、意思表示確認時間を数値で表示する１つの７セグの表示器７１が設けられている。表示器７０、７１の設置場所は、上記に限られるものではなく、遊技機の遊技盤面以外の前面枠など、報知できる場所とすることは自由である。
而して、７セグの表示器７１に表示される意思表示確認時間のカウントダウン中に、役抽選結果および信頼度の例、内部抽選の結果取得された役が、「ベル役」であったとき、複数個のＬＥＤのうちでその結果に応じた個数のＬＥＤが黄色で発光されることにより遊技者はベル役となる信頼度の大小を認識することができる。前記した各役でも同様に複数個のＬＥＤのうちでその結果に応じた個数のＬＥＤがそれに対応する色彩で発光される。役抽選結果が確定の場合は、全ＬＥＤが発光される。
図６の実施形態では、この報知手段２０、確認時間報知手段２１および操作手段２３とを別に設けたが、これに限られるものではなく、前記したパチンコ遊技機と同様に、操作手段２３と報知手段２０と確認時間報知手段２１、或いは操作手段２３と報知手段２２とを一箇所の纏めて設けることもできる。
【００２７】
このスロット遊技機の場合、メダル投入→スタートレバー操作→役の種別の内部抽選結果がでる→表示器（表示装置）７１においてＴ秒タイマー（意思表示確認時間）始動→遊技者がタイマー中に操作手段（検知スイッチ等）を触る→報知手段に結果を表示又は報知して遊技者に認識させる→各リール停止ボタン操作。
【００２８】
以上の実施形態を示したが、この発明はこの形態に限定されるものではなく、この発明の要旨を逸脱しない範囲で、種々の形態を実施しうるものである。この発明は、図示したパチンコ遊技機、スロット遊技機に限られるものではなく、各種の遊技機に適用できる。
【００２９】
【発明の効果】
この発明によれば、抽選手段において内部で行われる抽選の結果が決定したときに、遊技機に意思表示確認時間を遊技者に報知しうる確認時間報知手段に報知される意思表示確認時間中に遊技者に対して役抽選の結果或いはその信頼度を認識しうる機会を付与し、遊技者自身の意思で操作手段を操作することにより報知手段に役抽選の結果或いはその信頼度を報知させて遊技者が役抽選の結果或いはその信頼度を認識でき、遊技機に不慣れな者でも射幸心、興趣を向上できる。
【００３０】
この発明によれば、抽選手段において内部で行われる抽選の結果が決定したときに、報知手段に表示又は報知される意思表示確認時間中に遊技者自身の意思で操作手段を操作することにより１つの報知手段に役抽選の結果或いはその信頼度を報知させて遊技者が役抽選の結果或いはその信頼度を認識できる。
【００３１】
この発明によれば、操作手段を遊技機の前面に設けるので、遊技者が操作しやすく便利である。また、前記操作手段を遊技機の上皿、下皿、或いは機枠等に備えれば、遊技者の手元で操作できるので便利である。
また、前記報知手段として、遊技盤面以外の遊技機内に図柄を表示する図柄表示手段を設け、遊技者に認識しやすくすることができる。
この発明によれば、前記報知手段と前記操作手段とをユニット化して場所をとることなく、小スペースに設置できる。
【図面の簡単な説明】
【図１】この発明の一実施形態で、パチンコ遊技機を示す正面図である。
【図２】操作手段と報知手段を備えたユニット体を示す正面図である。
【図３】同断面図である。
【図４】この発明の別の実施形態のパチンコ遊技機を示す正面図である。
【図５】操作手段の別の実施形態を示す断面図である。
【図６】この発明の別の実施形態で、スロット遊技機を示す正面図である。
【符号の説明】
１  前面枠
７  特定図柄表示装置
１１  始動口（電動チューリップ）
１２  大入賞口
２０  報知手段
２１  確認時間報知手段
２２  報知手段
２３  操作手段
２７  押しボタン部材
３８  表示器
４０  押しボタン部材
６１  スロット遊技機の前面枠体
７０  表示器
７１  表示器
【図１】
2004344231.tif 000003
【図２】
2004344231.tif 000004
【図３】
2004344231.tif 000005
【図４】
2004344231.tif 000006
【図５】
2004344231.tif 000007
【図６】
2004344231.tif 000008
【手続補正書】
【提出日】平成15年12月25日(2003.12.25)
【手続補正１】
【補正対象書類名】明細書
【補正対象項目名】特許請求の範囲
【補正方法】変更
【補正の内容】
【特許請求の範囲】
【請求項１】
抽選を行う抽選手段を備え、該抽選手段で行われる抽選に応じた役抽選の結果或いはその信頼度を表示又は報知する報知手段を備えた遊技機において、
前記抽選手段において内部で行われる抽選の結果が決定したときに、遊技者に対して役抽選の結果或いはその信頼度を認識しうる機会を付与するための意思表示確認時間を設けその時間を遊技者に表示又は報知しうる確認時間報知手段と、
該確認時間報知手段に表示又は報知される意思表示確認時間中に、前記報知手段に役抽選の結果或いはその信頼度を表示又は報知させるために遊技者の意思で操作しうる操作手段とを
備えたことを特徴とする遊技機。
【請求項２】
前記確認時間報知手段は、前記抽選手段で行われる抽選に応じた役抽選の結果或いはその信頼度を表示又は報知する報知手段を兼備したことを特徴とする請求項１に記載の遊技機。
【請求項３】
前記確認時間報知手段と前記操作手段とをユニット化させたことを特徴とする請求項１又は２に記載の遊技機。
【請求項４】
前記ユニット化させた確認時間報知手段と前記操作手段とが遊技機の遊技盤面以外の前面枠等設置場所に設られる請求項１ないし３のいずれかに記載の遊技機。
【手続補正２】
【補正対象書類名】明細書
【補正対象項目名】０００６
【補正方法】変更
【補正の内容】
【０００６】
【課題を解決するための手段】
この発明の請求項１の遊技機は、抽選を行う抽選手段を備え、該抽選手段で行われる抽選に応じた役抽選の結果或いはその信頼度を表示又は報知する報知手段を備えた遊技機において、前記抽選手段において内部で行われる抽選の結果が決定したときに、遊技者に対して役抽選の結果或いはその信頼度を認識しうる機会を付与するための意思表示確認時間を設けその時間を遊技者に表示又は報知しうる確認時間報知手段と、該確認時間報知手段に表示又は報知される意思表示確認時間中に、前記報知手段に役抽選の結果或いはその信頼度を表示又は報知させるために遊技者の意思で操作しうる操作手段とを備えたことを特徴とする。


【手続補正３】
【補正対象書類名】明細書
【補正対象項目名】０００７
【補正方法】変更
【補正の内容】
【０００７】
この発明の請求項２の遊技機は、請求項１において、 前記確認時間報知手段は、前記抽選手段で行われる抽選に応じた役抽選の結果或いはその信頼度を表示又は報知する報知手段を兼備したことを特徴とする。


【手続補正４】
【補正対象書類名】明細書
【補正対象項目名】０００８
【補正方法】変更
【補正の内容】
【０００８】
この発明の請求項３の遊技機は、前記確認時間報知手段と前記操作手段とをユニット化させたことを特徴とする。
この発明の請求項４の遊技機は、前記ユニット化させた確認時間報知手段と前記操作手段とが遊技機の遊技盤面以外の前面枠等設置場所に設られることを特徴とする。


【手続補正５】
【補正対象書類名】明細書
【補正対象項目名】００１０
【補正方法】変更
【補正の内容】
【００１０】
この発明の構成によれば、抽選手段において内部で行われる抽選の結果が決定したときに、１つの確認時間報知手段に表示又は報知される意思表示確認時間と、その意思表示確認時間中に遊技者自身の意思で操作手段を操作することにより役抽選の結果或いはその信頼度を表示又は報知させて遊技者が役抽選の結果或いはその信頼度を認識できる。


【手続補正６】
【補正対象書類名】明細書
【補正対象項目名】００２９
【補正方法】変更
【補正の内容】
【００２９】
【発明の効果】
この発明によれば、抽選手段において内部で行われる抽選の結果が決定したときに、意思表示確認時間を遊技者に報知しうる確認時間報知手段に意思表示確認時間を表示又は報知し、その意思表示確認時間中に遊技者に対して役抽選の結果或いはその信頼度を認識しうる機会を付与し、遊技者自身の意思で操作手段を操作することにより報知手段に役抽選の結果或いはその信頼度を報知させて遊技者が役抽選の結果或いはその信頼度を認識でき、遊技機に不慣れな者でも射幸心、興趣を向上できる。


【手続補正７】
【補正対象書類名】明細書
【補正対象項目名】００３０
【補正方法】変更
【補正の内容】
【００３０】
この発明によれば、抽選手段において内部で行われる抽選の結果が決定したときに、１つの前記確認時間報知手段で意思表示確認時間と、その意思表示確認時間中に遊技者自身の意思で操作手段を操作することにより役抽選の結果或いはその信頼度を表示又は報知させて遊技者が役抽選の結果或いはその信頼度を認識できる。